(57)【要約】【課題】香料を配合した整髪料を頭髪や頭皮に付着させることなく芳香を転写することのできる匂い放散型整髪用具およびその製造方法の提供。【解決手段】整髪用具の一部に芳香発生部を設けたことを特徴とする匂い放散型整髪用具およびその製造方法。【選択図】        図１
2004201934.tif 000002
【特許請求の範囲】
【請求項１】
整髪用具の一部に芳香発生部を設けたことを特徴とする匂い放散型整髪用具。
【請求項２】
くし又はブラシの歯部に芳香発生部を設けたことを特徴とする匂い放散型整髪用具。
【請求項３】
抽出し得る物質を配合した樹脂組成物を用いて、くし又はブラシを成形し、抽出し得る物質を溶媒等で除去することにより微細孔を有するくし、又はブラシとし、容器に収納後、減圧、真空状態とし、次いで香料を容器内に放出することにより、くし、又はブラシに芳香発生部を設けたことを特徴とする請求項２記載の匂い放散型整髪用具の製造方法。
【請求項４】
抽出し得る物質を配合した樹脂組成物を用いて、管状に押し出し、中空体線状物に成形した後、抽出し得る物質を溶媒等で除去することにより微細孔を有する管状物とし、所定の長さに切断すると共に歯部先端部を閉塞し、丸みを持つように加工してブラシの歯部を形成し、かくして得られたブラシの歯部を、台座部内に芳香剤を含有する織布、不織布を収納してある台座空洞部と連通するように植歯したことを特徴とする請求項２記載の匂い放散型整髪用具の製造方法。
【発明の詳細な説明】
【０００１】
【発明の属する技術分野】
本発明は、匂いを放散することのできる匂い放散型整髪用具及びその製造方法に関する。
【０００２】
ストレスの多い現代社会において、香りが癒しを促進する一つの材料として注目され、芳香を生活や仕事の場において生かすことが課題となっている。
従来芳香剤を利用する方法として、例えば香水やコロンを皮膚に付着させたり、スプレーで衣類に付着させたりしていた。又、頭髪に芳香剤を利用する方法として、特定の香料を配合した整髪料を頭髪や頭皮に付着させて利用していた。
【０００３】
【発明が解決しようとする課題】
本発明は、香料を配合した整髪料を頭髪や頭皮に付着させることなく芳香を転写することのできる匂い放散型整髪用具及びその製造方法に関する。
【０００４】
【課題を解決するための手段】
本発明の第１は、整髪用具の一部に芳香発生部を設けたことを特徴とする匂い放散型整髪用具に関する。
本発明の第２は、くし又はブラシの歯部に芳香発生部を設けたことを特徴とする匂い放散型整髪用具に関する。
本発明の第３は、抽出し得る物質を配合した樹脂組成物を用いて、くし又はブラシを成形し、抽出し得る物質を溶媒等で除去することにより微細孔を有するくし、又はブラシとし、容器に収納後、減圧、真空状態とし、次いで香料を容器内に放出することにより、くし、又はブラシに芳香発生部を設けたことを特徴とする請求項２記載の匂い放散型整髪用具の製造方法に関する。
本発明の第４は、抽出し得る物質を配合した樹脂組成物を用いて、管状に押し出し、中空体線状物に成形した後、抽出し得る物質を溶媒等で除去することにより微細孔を有する管状物とし、所定の長さに切断すると共に歯部先端部を閉塞し、丸みを持つように加工してブラシの歯部を形成し、かくして得られたブラシの歯部を、台座部内に芳香剤を含有する織布、不織布を収納してある台座空洞部と連通するように植歯したことを特徴とする請求項２記載の匂い放散型整髪用具の製造方法に関する。
【０００５】
整髪用具としては、くし又はブラシが多く利用されているが、整髪に利用し得るものであれば特に限定されるものではない。
芳香発生部に用いる芳香剤としては、香料のみならず匂いを分解・除去する消臭剤も用いることができる。
芳香発生部を整髪用具の一部に設ける場合、例えば、くしやブラシの歯部に設けることが好ましい。又、くしやブラシに設ける芳香発生部は、くしやブラシの歯部のみならず、くしやブラシの歯部を固定する台座部にも設けることができる。更に、ブラシ歯部の台座部に芳香発生体を配置し、微細孔を有するブラシの歯部と連通するような構造とすることもできる。
【０００６】
芳香発生部に用いる芳香発生体は、例えば、芳香剤を含有する多孔質物質を用いることが好ましい。
多孔質物質としては、多孔性金属、多孔性合成樹脂等がある。
多孔性金属としては、アルミナ、シリカアルミナのほか、ステンレス、Ｃｏ−Ｃｒ合金、ＴｉおよびＴｉ合金の焼結体がある。
多孔性合成樹脂としては、ポリウレタンフォーム、ポリイミドフォーム、ポリエチレンフォーム等があり、又、重合体中の溶剤除去法によって得られた多孔質体がある。これら多孔質体は連通気泡を有するものが好ましい。
【０００７】
くしやブラシの歯は、頭皮に対して傷つけることなくやさしいことが望ましい。その場合、歯の先端部が丸みをもつように成形すると共に、歯部構成材料が合成樹脂であることが好ましい。
合成樹脂により微細孔を有する歯部を成形するためには、合成樹脂の溶剤除去法によって成形することが好ましく、例えば、可塑剤を含む塩化ビニル樹脂によりくしやブラシを成形し、次いで可塑剤を溶出する方法、ポリエチレンにエチレングリコールを配合した樹脂組成物を用いてくしやブラシを成形し、次いで温湯でエチレングリコールを溶出する方法、ポリエチレンに石油オイルを配合した樹脂組成物を用いてくしやブラシを成形し、次いで石油オイルをヘキサンで抽出する方法、ポリエチレンに無機塩を配合した樹脂組成物を用いてくしやブラシを成形し、次いで無機塩を溶出する方法、ポリエチレンに無機塩を配合した樹脂組成物を用いてくしやブラシを成形し、次いで無機塩を溶出する方法、ポリエチレンに無機充填剤を配合した樹脂組成物をチューブ状に押し出し、延伸することによって得られた線状物から歯部を成形する方法等がある。
【０００８】
具体的には、これら抽出し得る物質を配合した樹脂組成物を用いて、くし、又はブラシを例えば射出成型機を用いて一体として成形し、抽出し得る物質を溶媒等で除去することにより微細孔を有するくし、又はブラシとし、次いで必要に応じて、把持部を樹脂溶液に浸漬するか、樹脂溶液を塗布、乾燥するか、あるいは、樹脂フィルムにより被覆することにより、香りが手へ付着するのを防止することができる。
このように成形して得られた、くし、又はブラシは、容器に収納後、減圧、真空状態とし、次いで香料を容器内に放出することにより、くし、又はブラシの微細孔内に香料を充填することにより、くし、又はブラシの芳香発生部とすることができる。
【０００９】
他の方法として、抽出し得る物質を配合した樹脂組成物を用いて、管状に押し出し、必要に応じて延伸し、中空体線状物に成形した後、抽出し得る物質を溶媒等で除去することにより微細孔を有する管状物とし、所定の長さに切断すると共に歯部先端部を閉塞し、丸みを持つように加工してブラシの歯部を形成する。かくして得られたブラシの歯部を、台座部内に芳香剤を含有する織布、不織布を収納してある台座空洞部と連通するように植歯しブラシとする。かくして得られたブラシは長期にわたり、匂いを放散することができる。この場合、芳香剤を含有する織布、不織布は交換可能とするために、台座部の一部を開閉可能とすることもできる。
【００１０】
以下に図面に基づき本発明を具体的に説明するが、本発明はこれにより何ら限定されるものではない。
図１は、くしを示す説明図である。
くしは、歯部１、台座部２、把持部３からなり、歯部１、台座部２は内部に香料を含有する微細孔４を有する。香料は、この微細孔から徐々に匂いを放散し、香りが頭髪に移転される。
【００１１】
図２は、ブラシを示す斜視図である。
ブラシは、歯部５、台座部６、把持部７からなる。
図３は、図２におけるＡ−Ａ′断面図である。
ブラシの歯部８は、微細孔１０を有する中空体線状物により成形され、先端部を閉塞し、丸みを持つように加工され、台座部９に植毛され、台座空洞部１１と連通している。台座空洞部１１内には芳香発生体１２が収納されており、ここで発生した芳香はブラシ歯部８の中空部を通り、ブラシ歯部８に形成されている微細孔１０を通過して外部へ放出し頭髪に転写することができる。
台座部９に収納された芳香発生体１２は、台座部９の一部を開閉自在とし、交換可能とすることができる。芳香発生体１２は、例えば、芳香剤を含有する多孔質物質や芳香剤を含有する織布、不織布が用いられる。
【００１２】
【発明の効果】
本発明により、香料を配合した整髪料を頭髪や頭皮に付着させることなく芳香を転写することのできる匂い放散型整髪用具およびその製造方法を提供することができた。
【図面の簡単な説明】
【図１】くしを示す説明図である。
【図２】ヘアーブラシを示す斜視図である。
【図３】図２におけるＡ−Ａ′断面図である。
【符号の説明】
１  くしの歯部
２  くしの台座部
３  くしの把持部
４  微細孔
５  ブラシの歯部
６  ブラシの台座部
７  ブラシの把持部
８  拡大されたブラシの歯部
９  拡大されたブラシの台座部
１０  微細孔
１１  台座空洞部
１２  芳香発生体
【図１】
2004201934.tif 000003
【図２】
2004201934.tif 000004
【図３】
2004201934.tif 000005